(57)【要約】  【課題】負荷としての例えば光源が何であっても、好適に威嚇をする。  【解決手段】照明器具３への電源４の接続経路上に介設されるスイッチ素子Ｑ１と、周囲の明るさの検出をする明るさセンサ１１と、所定検出エリアに人が居るか否かの検出をする人体検出センサ１２と、威嚇用の点滅光源１７と、制御回路部１０とを一体に備えた。制御回路部１０は、人が居るとの検出結果が連続して得られる時間を計時し、この時間が所定の威嚇待機時間に達した場合に、明るさセンサ１１の検出結果に関係なく、点滅光源１７を点滅して威嚇をする。あるいは、点滅光源１７に代えてまたは点滅光源１７とともに、威嚇用の音源を備える。【選択図】図１
2005242487.tif 000002
【特許請求の範囲】
【請求項１】
負荷への交流電源の接続経路上に介設されるスイッチ手段と、
周囲の明るさの検出をする明るさ検出手段と、
所定検出エリアに人が居るか否かの検出をする人体検出手段と、
この人体検出手段から人が居るとの検出結果が連続して得られる時間を計時する計時手段と、
威嚇用の威嚇手段と、
前記明るさ検出手段および前記人体検出手段の両検出結果を基に、前記スイッチ手段をオンないしオフにして前記負荷への前記交流電源の接続ないし遮断をするほか、前記計時手段により計時された時間が所定の威嚇待機時間に達した場合に、前記明るさ検出手段の検出結果に関係なく、前記威嚇手段により威嚇をする制御手段と
を一体に備えることを特徴とするスイッチ器具。
【請求項２】
前記威嚇手段として、威嚇用の光源または威嚇用の音源を一体に備えることを特徴とする請求項１記載のスイッチ器具。
【請求項３】
前記威嚇手段としての光源および音源を備え、前記制御手段は、前記計時手段により計時された時間が所定の威嚇待機時間に達した場合に、前記明るさ検出手段の検出結果に関係なく、前記光源を点滅するとともに前記音源を駆動して威嚇をすることを特徴とする請求項１または２記載のスイッチ器具。
【請求項４】
前記人体検出手段として、ドア寄りの戸外の狭いエリアおよびこのエリアの全部または一部を含む広いエリアをそれぞれ前記所定検出エリアとする狭エリア人体検出手段および広エリア人体検出手段を備え、前記計時手段は、前記狭エリア人体検出手段および前記広エリア人体検出手段の双方から人が居るとの検出結果が連続して得られる時間を計時することを特徴とする請求項１から３のいずれかに記載のスイッチ器具。
【請求項５】
２線式ケーブルを介して前記制御手段と接続され、自動および威嚇入切設定用の設定スイッチを少なくとも一つ有する別体の動作モード設定スイッチを備え、
この動作モード設定スイッチは、前記設定スイッチにより、自動設定に切り替えられると、前記２線ケーブルを介して前記制御手段に自動設定信号を送信し、威嚇入設定または威嚇切設定に切り替えられると、前記２線ケーブルを介して前記制御手段に威嚇入設定信号または威嚇切設定信号をそれぞれ送信する一方、
前記制御手段は、前記２線式ケーブルを介して前記動作モード設定スイッチから、前記自動設定信号を受信すると、前記明るさ検出手段および前記人体検出手段の両検出結果を基に、前記スイッチ手段をオンないしオフにして前記負荷への前記交流電源の接続ないし遮断をし、前記威嚇入設定信号を受信すると前記威嚇動作を許容し、前記威嚇切設定信号を受信すると前記威嚇動作を禁止する
ことを特徴とする請求項１から４のいずれかに記載のスイッチ器具。
【発明の詳細な説明】
【技術分野】
【０００１】
本発明は、負荷への交流電源の接続経路上に介設されるスイッチ手段と、明るさ検出手段と、人体検出手段とを備え、これらの両検出結果を基にスイッチ手段をオンないしオフにして負荷への交流電源の接続ないし遮断をするスイッチ器具に関するものである。
【背景技術】
【０００２】
従来のスイッチ器具（配線器具）は、明るさ検出手段の検出による周囲の明るさが所定の基準明るさよりも暗い場合に人体検出手段から人が居るとの検出結果が得られたとき、所定の動作保持時間、負荷への交流電源の接続経路上に介設されるスイッチ手段（スイッチ素子）をオンにする構成になっている。なお、動作保持時間の計時は、人が居るとの検出結果が得られる毎にリセットされる。
【０００３】
また、周囲の明るさが基準明るさよりも暗い間、スイッチ手段を位相制御することにより、負荷としての光源（照明器具）の調光をする構成のものがあり、この構成では、調光（減光）点灯は、人体検出手段から人が居るとの検出結果が得られたとき、所定の動作保持時間、スイッチ手段をオンに保持することにより、全点灯に切り替えられる。
【０００４】
さらに、この種のスイッチ器具には、自己に接続される別体の負荷としての光源を防犯用の威嚇に利用する構成のものがある。この構成では、人体検出手段の検出結果に基づいて、別体の照明用の光源が点滅することにより、威嚇をすることになる。
【０００５】
なお、スイッチ器具ではないが、特許文献１には、照明負荷部を一体に備え、この照明負荷部を威嚇に利用する照明装置が記載されている。この照明装置は、連続的または断続的に人の検知信号が得られて所定の時間が経過した時点から、照明負荷部を点滅する構成になっている。
【特許文献１】特開２００３−２０８９９０号公報
【発明の開示】
【発明が解決しようとする課題】
【０００６】
しかしながら、上記のように負荷としての別体の光源を威嚇に利用する構成では、防犯効果が得られるものの、光源を威嚇に利用するためには、本来の照明用の光源としての種類が限定されるという課題がある。
【０００７】
また、上記構成では、ピッキングなどである一定時間以上、玄関ドアのそばの戸外に居る不審者のみに対して威嚇動作をするべく、人体検出手段の検出エリアを狭くすると、本来の自動スイッチとしての機能に支障がでる一方、検出エリアが広くなりすぎると、玄関付近の通行人に反応して威嚇をしてしまうといった問題があり、各戸毎に検出エリアの最適設定をすることは非常に手間であり、また困難であった。
【０００８】
本発明は、上記事情に鑑みてなされたものであり、負荷としての例えば光源が何であっても、好適に威嚇をすることができるスイッチ器具を提供することを目的とする。
【課題を解決するための手段】
【０００９】
上記課題を解決するための請求項１記載の発明のスイッチ器具は、負荷への交流電源の接続経路上に介設されるスイッチ手段と、周囲の明るさの検出をする明るさ検出手段と、所定検出エリアに人が居るか否かの検出をする人体検出手段と、この人体検出手段から人が居るとの検出結果が連続して得られる時間を計時する計時手段と、威嚇用の威嚇手段と、前記明るさ検出手段および前記人体検出手段の両検出結果を基に、前記スイッチ手段をオンないしオフにして前記負荷への前記交流電源の接続ないし遮断をするほか、前記計時手段により計時された時間が所定の威嚇待機時間に達した場合に、前記明るさ検出手段の検出結果に関係なく、前記威嚇手段により威嚇をする制御手段とを一体に備えることを特徴とする。
【００１０】
この構成では、例えば、玄関ドア付近の戸外に本スイッチ器具を設けてこれに玄関ドア用の照明器具を負荷として接続することにより、周囲の明るさおよび人が居るか否かに応じて、その照明器具を好適に自動で点灯することができるほか、人体検出手段から人が居るとの検出結果が連続して得られる時間が、威嚇待機時間に達した場合に、昼間および夜間に関係なく威嚇手段が威嚇をするので、玄関ドア用の照明器具の光源が何（例えば省エネ点灯可能な蛍光灯）であっても、玄関ドアの開錠に威嚇待機時間以上の時間を要する不審者に対して、威嚇手段により、好適に威嚇をすることができる。
【００１１】
請求項２記載の発明のスイッチ器具は、請求項１記載のスイッチ器具において、前記威嚇手段として、威嚇用の光源または威嚇用の音源を一体に備えることを特徴とする。この構成では、威嚇用の光源が点滅することにより、あるいは威嚇用の音源が駆動することにより、玄関ドアの開錠に威嚇待機時間以上の時間を要する不審者に対して、好適に威嚇をすることができる。
【００１２】
請求項３記載の発明は、請求項１または２記載のスイッチ器具において、前記威嚇手段としての光源および音源を備え、前記制御手段は、前記計時手段により計時された時間が所定の威嚇待機時間に達した場合に、前記明るさ検出手段の検出結果に関係なく、前記光源を点滅するとともに前記音源を駆動して威嚇をすることを特徴とする。この構成では、例えば玄関ドアの開錠に威嚇待機時間以上の時間を要する不審者に対して、威嚇用の光源および音源により、一層好適に威嚇をすることができる。
【００１３】
請求項４記載の発明は、請求項１から３のいずれかに記載のスイッチ器具において、前記人体検出手段として、ドア寄りの戸外の狭いエリアおよびこのエリアの全部または一部を含む広いエリアをそれぞれ前記所定検出エリアとする狭エリア人体検出手段および広エリア人体検出手段を備え、前記計時手段は、前記狭エリア人体検出手段および前記広エリア人体検出手段の双方から人が居るとの検出結果が連続して得られる時間を計時することを特徴とする。この構成では、狭エリア人体検出手段および広エリア人体検出手段の双方から人が居るとの検出結果が連続して得られる時間が、威嚇待機時間に達した場合に、昼間および夜間に関係なく威嚇が行われるので、威嚇動作の誤動作防止が可能となる。
【００１４】
請求項５記載の発明は、請求項１から４のいずれかに記載のスイッチ器具において、２線式ケーブルを介して前記制御手段と接続され、自動および威嚇入切設定用の設定スイッチを少なくとも一つ有する別体の動作モード設定スイッチを備え、この動作モード設定スイッチは、前記設定スイッチにより、自動設定に切り替えられると、前記２線ケーブルを介して前記制御手段に自動設定信号を送信し、威嚇入設定または威嚇切設定に切り替えられると、前記２線ケーブルを介して前記制御手段に威嚇入設定信号または威嚇切設定信号をそれぞれ送信する一方、前記制御手段は、前記２線式ケーブルを介して前記動作モード設定スイッチから、前記自動設定信号を受信すると、前記明るさ検出手段および前記人体検出手段の両検出結果を基に、前記スイッチ手段をオンないしオフにして前記負荷への前記交流電源の接続ないし遮断をし、前記威嚇入設定信号を受信すると前記威嚇動作を許容し、前記威嚇切設定信号を受信すると前記威嚇動作を禁止することを特徴とする。この構成では、例えば、玄関ドア付近の戸内に動作モード設定スイッチを設けることにより、利用者が動作モード設定スイッチの設定スイッチを操作することで、利用者の要求に合うように、本スイッチ器具に接続される負荷を動作させることができるとともに、威嚇動作を簡単に入切設定することができる。
【発明の効果】
【００１５】
本発明によれば、負荷としての例えば光源が何であっても、好適に威嚇をすることができる。
【発明を実施するための最良の形態】
【００１６】
（実施形態１）
図１は本発明による実施形態１のスイッチ器具および別体の動作モード設定スイッチの構成図、図２は同スイッチ器具および動作モード設定スイッチの配線図、図３は同スイッチ器具の検出エリアの説明図、図４は同スイッチ器具の動作説明図である。
【００１７】
本実施形態１のスイッチ器具には、図２（ａ）に示す軒下天井用のスイッチ器具１と、図２（ｂ）に示す軒下（戸外）壁面用のスイッチ器具１とがあり、これらいずれのスイッチ器具１も、図１，図２に示すように、２線式のケーブルＬ１を介して別体の動作モード設定スイッチ２と接続されて使用される構成になっている。ただし、図３の例では、軒下壁面用のスイッチ器具１が使用されている。
【００１８】
動作モード設定スイッチ２は、図１に示すように、ケーブルＬ１の一方の電線に接続される共通接点２００を、切設定用の接点２０１、連続入設定用の接点２０２および自動設定用の接点２０３のいずれかに切替接続する電源設定スイッチ２０と、接点２０３に接続される共通接点２１０を、威嚇入設定用の接点２１１および威嚇切設定用の接点２１２のいずれかに切替接続する威嚇設定スイッチ２１と、接点２０１，２１２，２０２にそれぞれ一端が接続され各他端がケーブルＬ１の他方の電線に接続される抵抗Ｒ２０，２１，２２とにより構成されている。そして、それら抵抗の抵抗値は、ケーブルＬ１として、例えばφ１．６〜２．０ｍｍ、長さ数ｍ〜数１０ｍの銅線が使用されることを考慮して設定される。
【００１９】
このような構成の動作モード設定スイッチ２において、電源設定スイッチ２０の共通接点２００が接点２０１に切替接続されたときは、ケーブルＬ１の抵抗分を省略すると（以下同様）、抵抗Ｒ２０による短絡信号が切設定信号としてスイッチ器具１に送信される。共通接点２００が接点２０２に切替接続されたときは、抵抗Ｒ２２による短絡信号が連続入設定信号としてスイッチ器具１に送信される。そして、共通接点２００が接点２０３に切替接続されたときは、抵抗Ｒ２１による短絡信号または開放信号が自動設定信号としてスイッチ器具１に送信される。
【００２０】
一方、共通接点２００が接点２０３に切替接続されている状態において、威嚇設定スイッチ２１の共通接点２１０が接点２１１に切替接続されたときは、開放信号が威嚇入設定信号としてスイッチ器具１に送信され、共通接点２１０が接点２１２に切替接続されたときは、抵抗Ｒ２１による短絡信号が威嚇切設定信号としてスイッチ器具１に送信される。
【００２１】
このように、威嚇入切の設定を独立に行えるようにすることにより、外出時や就寝時などで威嚇の入切設定を簡単に行うことができるようにしている。また、切設定信号および連続入設定信号を威嚇切設定信号と同様に扱い、切（威嚇切）、連続入（威嚇切）、自動・威嚇入、自動・威嚇切の４モードの切替設定を２線配線で行えるようにしている。さらに、動作モード設定スイッチ２が使用されない構成において、電源設定スイッチ２０により自動設定に切り替えられるとともに威嚇設定スイッチ２１により威嚇入設定に切り替えられたときと同様の信号（開放信号）が、スイッチ器具１に入力される状態となるようにしてある。
【００２２】
スイッチ器具１は、ケーブルＬ１を介して動作モード設定スイッチ２と接続される端子Ｔ１１，Ｔ１２と、例えば２線の電線Ｌ２を介して負荷としての外部の照明器具３と接続される端子Ｔ１３，Ｔ１４と、例えば２線の電線Ｌ３を介して（交流）電源４と接続される端子Ｔ１５，Ｔ１６とを一体に備えているほか、スイッチ素子Ｑ１と、明るさセンサ１１と、人体検出センサ１２と、明るさセンサ調整スイッチ１３と、動作保持時間調整スイッチ１４と、威嚇モード移行時間調整スイッチ１５と、威嚇モード保持時間調整スイッチ１６と、点滅光源１７と、電源回路部１９と、制御回路部１０とを一体に備えている。
【００２３】
スイッチ素子Ｑ１は、オンないしオフにより照明器具３への電源４の接続ないし遮断をするものである。図１の例では、端子Ｔ１３，Ｔ１４が端子Ｔ１５，Ｔ１６にそれぞれ内部接続されることにより形成される照明器具３と電源４との接続経路上において、端子Ｔ１４，Ｔ１６間に直列に介設されるトライアックにより構成されている。
【００２４】
明るさセンサ１１は、周囲の明るさの検出をするものであり、例えばＣｄＳ素子からなる照度センサにより構成される。本実施形態１では、上記検出による周囲の明るさが、所定の基準明るさよりも明るい場合にＬｏｗ出力となり、暗い場合にＨｉｇｈ出力となるように構成される（図４（ａ）参照）。
【００２５】
人体検出センサ１２は、所定検出エリア（図３のＡ参照）に人が居るか否かの検出をするものであり、例えば焦電素子からなる熱線センサにより構成される。
【００２６】
明るさセンサ調整スイッチ１３は、明るさセンサ１１の検出による周囲の明るさとの比較基準となる上記基準明るさのレベルを調整するものである。
【００２７】
動作保持時間調整スイッチ１４は、人体検出センサ１２から人が居るとの検出結果が得られなくなった時点から、スイッチ素子Ｑ１をオフに保持するための動作保持時間を調整するものである。この動作保持時間の計時は、人体検出センサ１２から人が居るとの検出結果が得られる毎に、制御回路部１０により開始される。
【００２８】
威嚇モード移行時間調整スイッチ１５は、威嚇動作を開始するまでの威嚇待機時間としての威嚇モード移行時間を調整するものである。
【００２９】
威嚇モード保持時間調整スイッチ１６は、威嚇動作を保持するための威嚇保持時間としての威嚇モード保持時間を調整するものである。
【００３０】
点滅光源１７は、例えば、連続して点滅する光源であり、フラッシュなどにより構成される。
【００３１】
電源回路部１９は、電源４からの交流電力を直流電力に整流および平滑などして、スイッチ器具１の各部に供給するものである。
【００３２】
制御回路部１０は、例えば、マイコン（マイクロコンピュータ）などにより構成され、スイッチ器具１全般の制御などの処理を実行するものであり、計時機能を有し、端子Ｔ１１，Ｔ１２間に入力する信号をそれら端子間の抵抗値の差により識別して受信し、受信した信号に応じて各種制御を実行する。
【００３３】
すなわち、動作モード設定スイッチ２から、切設定信号を受信しているときは、スイッチ素子Ｑ１をオフに保持し、連続入設定信号を受信しているときは、スイッチ素子Ｑ１をオンに保持する制御が実行される。これにより、照明器具３は、動作モード設定スイッチ２で切設定に切り替えられれば消灯状態となり、連続入設定に切り替えられれば点灯状態となる。
【００３４】
また、自動設定信号を受信しているときは、明るさセンサ１１および人体検出センサ１２の両検出結果を基に、スイッチ素子Ｑ１をオンないしオフにして照明器具３への電源４の接続ないし遮断をする制御が実行される。具体的には、図４（ａ）に示すように、明るさセンサ１１の検出による周囲の明るさが、明るさセンサ調整スイッチ１３により調整された基準明るさよりも暗い場合に、人体検出センサ１２から人が居るとの検出結果が得られたとき、動作保持時間調整スイッチ１４により調整された動作保持時間Ｔ１、スイッチ素子Ｑ１をオンにし、動作保持時間Ｔ１が経過すれば、スイッチ素子Ｑ１をオフにする制御が実行される。これにより、照明器具３は、周囲の明るさおよび人が居るか否かに応じて、好適に自動で点灯することになる。
【００３５】
さらに、威嚇入設定信号を受信しているときは、自己の計時機能により、人体検出センサ１２から人が居るとのパルス状の検出結果（図４（ａ）では「人体検知」）が連続して得られる時間を計時し、その時間が、威嚇モード移行時間調整スイッチ１５により調整された威嚇モード移行時間Ｔ２に達した場合に、少なくとも人体検出センサ１２から人が居るとのパルス状の検出結果が継続して得られる間、明るさセンサ１１の検出結果に関係なく、点滅光源１７を点滅して威嚇をする制御が実行される。ここで、計時機能は、パルス状の検出結果が、例えば予め設定された所定時間以上途切れずに連続して得られる時間を計時するように構成される。また、人体検出センサ１２から人が居るとのパルス状の検出結果が得られなくなっても、威嚇モード保持時間調整スイッチ１６により調整された威嚇モード保持時間Ｔ３の間、点滅光源１７を点滅するように構成される。さらに、その威嚇動作は、威嚇切設定信号、切設定信号または連続入設定信号を受信しているとき、禁止される。
【００３６】
次に、上記構成の本実施形態１の特徴となる動作について説明する。自動および威嚇入設定時において、図４（ａ）に示すように、明るさセンサ１１の検出による周囲の明るさが基準明るさよりも明るい場合に、人体検出センサ１２で人が居るとの検出結果が得られても、スイッチ素子Ｑ１がオフのままであるので、照明器具３は消灯状態に保持される。一方、点滅光源１７は、人が居るとの検出結果が連続して得られる時間が威嚇モード移行時間Ｔ２に達すれば、点滅して威嚇をする。そして、その威嚇は、人体検出センサ１２で人が居るとの検出結果が得られなくなった時点からも、威嚇モード保持時間Ｔ３保持される。
【００３７】
この後、明るさセンサ１１の検出による周囲の明るさが基準明るさよりも暗くなり、人体検出センサ１２で人が居るとの検出結果が得られると、スイッチ素子Ｑ１がオンになるので、照明器具３は消灯状態から点灯状態に切り替わる。そして、その点灯状態は、人体検出センサ１２で人が居るとの検出結果が得られなくなった時点からも、動作保持時間Ｔ１保持される。また、点滅光源１７は、人が居るとの検出結果が連続して得られる時間が威嚇モード移行時間Ｔ２に達すれば、点滅して威嚇をする。そして、その威嚇は、人体検出センサ１２で人が居るとの検出結果が得られなくなった時点からも、威嚇モード保持時間Ｔ３保持される。
【００３８】
以上、本実施形態１によれば、玄関ドア付近の軒下に本スイッチ器具１を設けてこれに玄関ドア用の照明器具３を負荷として接続することにより、周囲の明るさおよび人が居るか否かに応じて、照明器具３を好適に自動で点灯することができる。
【００３９】
また、照明器具３が連続して点滅することができる光源（例えば白熱灯など）を備える場合には、その光源を威嚇に兼用してもよいが、本実施形態１では、人体検出センサ１２から人が居るとのパルス状の検出結果が連続して得られる時間が、威嚇モード移行時間Ｔ２に達した場合に、昼間および夜間に関係なく威嚇用の点滅光源１７が点滅するので、玄関ドア用の照明器具３の光源が何（例えば省エネ点灯可能な蛍光灯）であっても、玄関ドアの開錠に威嚇モード移行時間Ｔ２以上の時間を要する不審者に対して、威嚇用の点滅光源１７により、好適に威嚇をすることができる。特に、威嚇モード移行時間Ｔ２を、正規の鍵で玄関ドアを開けて中に入ることができる時間より長く、正規の鍵を使わずに玄関ドアの鍵を破って中に侵入するのに要する時間以下に設定すれば、住人に対する威嚇を防止し、不審者に対して威嚇をすることが可能となる。
【００４０】
さらに、玄関ドア付近の戸内に動作モード設定スイッチ２を設けることにより、利用者が動作モード設定スイッチ２の各スイッチを切替設定することで、利用者の要求に合うように、本スイッチ器具１に接続される照明器具３を動作させることができるとともに、威嚇動作を簡単に入切設定することができる。
【００４１】
なお、実施形態１の変形例として、図４（ｂ）に示すように、明るさセンサ１１の検出による周囲の明るさが基準明るさよりも暗い間、制御回路部１０が、スイッチ素子Ｑ１を位相制御することにより、照明器具３の調光（減光点灯）をする構成でもよい。
【００４２】
（実施形態２）
図５は本発明による実施形態２のスイッチ器具の構成図、図６は同スイッチ器具の種類の説明図、図７は同スイッチ器具の動作説明図である。
【００４３】
本実施形態２のスイッチ器具には、図６（ａ）に示す軒下天井用のスイッチ器具１と、図６（ｂ）に示す軒下壁面用のスイッチ器具１とがあり、これらいずれのスイッチ器具１も、図５に示すように、２線式のケーブルＬ１を介して、実施形態１と同様の動作モード設定スイッチ２と接続されて使用される構成になっている。
【００４４】
本実施形態２のスイッチ器具１は、実施形態１との相違点として、点滅光源１７に代えて威嚇用の音源１８を備え、制御回路部１０が威嚇用の音源１８を駆動して威嚇をする構成になっている。
【００４５】
威嚇用の音源１８は、例えばブザーまたはベルなどにより構成される。なお、本発明の音源は、ブザーまたはベルなどに限らず、音声を発する音声合成回路などによりなる構成でもよい。
【００４６】
制御回路部１０は、威嚇入設定信号を受信しているとき、自己の計時機能により、人体検出センサ１２から人が居るとのパルス状の検出結果が連続して得られる時間を計時し、その時間が、威嚇モード移行時間調整スイッチ１５により調整された威嚇モード移行時間Ｔ２に達した場合に、少なくとも人体検出センサ１２から人が居るとのパルス状の検出結果が継続して得られる間、明るさセンサ１１の検出結果に関係なく、音源１８を鳴動して威嚇をするように構成される。本実施形態２でも、図７（ａ）に示すように、人体検出センサ１２から人が居るとのパルス状の検出結果が得られなくなっても、威嚇モード保持時間調整スイッチ１６により調整された威嚇モード保持時間Ｔ３の間、音源１８を鳴動するようになっている。
【００４７】
次に、上記構成の本実施形態２の特徴となる動作について説明する。自動および威嚇入設定時において、図７（ａ）に示すように、明るさセンサ１１の検出による周囲の明るさが基準明るさよりも明るい場合に、人体検出センサ１２で人が居るとの検出結果が得られても、スイッチ素子Ｑ１がオフのままであるので、照明器具３は消灯状態に保持される。一方、音源１８は、人が居るとの検出結果が連続して得られる時間が威嚇モード移行時間Ｔ２に達すれば、鳴動して威嚇をする。そして、その威嚇は、人体検出センサ１２で人が居るとの検出結果が得られなくなった時点からも、威嚇モード保持時間Ｔ３保持される。
【００４８】
この後、明るさセンサ１１の検出による周囲の明るさが基準明るさよりも暗くなり、人体検出センサ１２で人が居るとの検出結果が得られると、スイッチ素子Ｑ１がオンになるので、照明器具３は消灯状態から点灯状態に切り替わる。そして、その点灯状態は、人体検出センサ１２で人が居るとの検出結果が得られなくなった時点からも、動作保持時間Ｔ１保持される。また、音源１８は、人が居るとの検出結果が連続して得られる時間が威嚇モード移行時間Ｔ２に達すれば、鳴動して威嚇をする。そして、その威嚇は、人体検出センサ１２で人が居るとの検出結果が得られなくなった時点からも、威嚇モード保持時間Ｔ３保持される。なお、図７（ａ）の例では、威嚇モード保持時間Ｔ３は動作保持時間Ｔ１よりも長い時間に設定されている。
【００４９】
以上、本実施形態２によれば、玄関ドア付近の軒下に本スイッチ器具１を設けてこれに玄関ドア用の照明器具３を負荷として接続することにより、周囲の明るさおよび人が居るか否かに応じて、照明器具３を好適に自動で点灯することができる。しかも、人体検出センサ１２から人が居るとのパルス状の検出結果が連続して得られる時間が、威嚇モード移行時間Ｔ２に達した場合に、昼間および夜間に関係なく威嚇用の音源１８が鳴動するので、玄関ドア用の照明器具３の光源が何（例えば省エネ点灯可能な蛍光灯）であっても、玄関ドアの開錠に威嚇モード移行時間Ｔ２以上の時間を要する不審者に対して、威嚇用の音源１８により、好適に威嚇をすることができる。
【００５０】
さらに、玄関ドア付近の戸内に動作モード設定スイッチ２を設けることにより、利用者が動作モード設定スイッチ２の各スイッチを切替設定することで、利用者の要求に合うように、本スイッチ器具１に接続される照明器具３を動作させることができるとともに、威嚇動作を簡単に入切設定することができる。
【００５１】
なお、実施形態２の変形例として、図７（ｂ）に示すように、明るさセンサ１１の検出による周囲の明るさが基準明るさよりも暗い間、制御回路部１０が、スイッチ素子Ｑ１を位相制御することにより、照明器具３の調光（減光点灯）をする構成でもよい。
【００５２】
（実施形態３）
図８は本発明による実施形態３のスイッチ器具の構成図、図９は同スイッチ器具の動作説明図である。
【００５３】
本実施形態３のスイッチ器具も、軒下天井および軒下壁面用のスイッチ器具１があり、これらいずれのスイッチ器具１も、図８に示すように、２線式のケーブルＬ１を介して、実施形態１，２と同様の動作モード設定スイッチ２と接続されて使用される構成になっている。
【００５４】
本実施形態３のスイッチ器具１は、実施形態１，２との相違点として、威嚇用の点滅光源１７および音源１８を備え、制御回路部１０が点滅光源１７を点滅するとともに音源１８を鳴動して威嚇をする構成になっている。
【００５５】
また、本実施形態３では、威嚇モード移行時間調整スイッチ１５に代えて、図８，図９（ａ）に示すように、点滅光源１７が威嚇動作を開始するまでの威嚇待機時間としての威嚇モード移行時間Ｔ２ａを調整する威嚇モード移行時間調整スイッチ１５ａと、音源１８が威嚇動作を開始するまでの威嚇待機時間としての威嚇モード移行時間Ｔ２ｂを調整する威嚇モード移行時間調整スイッチ１５ｂとが設けられている。
【００５６】
そして、制御回路部１０は、威嚇入設定信号を受信しているとき、自己の計時機能により、人体検出センサ１２から人が居るとのパルス状の検出結果が連続して得られる時間を計時し、その時間が、威嚇モード移行時間Ｔ２ａ，Ｔ２ｂに達した場合に、少なくとも人体検出センサ１２から人が居るとのパルス状の検出結果が継続して得られる間、明るさセンサ１１の検出結果に関係なく、点滅光源１７，音源１８をそれぞれ点滅，鳴動して威嚇をするように構成される。本実施形態３でも、図９（ａ）に示すように、人体検出センサ１２から人が居るとのパルス状の検出結果が得られなくなっても、威嚇モード保持時間調整スイッチ１６により調整された威嚇モード保持時間Ｔ３の間、点滅光源１７を点滅し、音源１８を鳴動するようになっている。
【００５７】
次に、上記構成の本実施形態３の特徴となる動作について説明する。自動および威嚇入設定時において、図９（ａ）に示すように、明るさセンサ１１の検出による周囲の明るさが基準明るさよりも明るい場合に、人体検出センサ１２で人が居るとの検出結果が得られても、スイッチ素子Ｑ１がオフのままであるので、照明器具３は消灯状態に保持される。一方、点滅光源１７は、人が居るとの検出結果が連続して得られる時間が威嚇モード移行時間Ｔ２ａに達すれば、点滅して威嚇をし、音源１８は、人が居るとの検出結果が連続して得られる時間が威嚇モード移行時間Ｔ２ｂに達すれば、鳴動して威嚇をする。そして、それらの威嚇は、人体検出センサ１２で人が居るとの検出結果が得られなくなった時点からも、威嚇モード保持時間Ｔ３保持される。なお、図９（ａ）の例では、威嚇モード移行時間Ｔ２ｂは威嚇モード移行時間Ｔ２ａよりも長い時間に設定されている。
【００５８】
この後、明るさセンサ１１の検出による周囲の明るさが基準明るさよりも暗くなり、人体検出センサ１２で人が居るとの検出結果が得られると、スイッチ素子Ｑ１がオンになるので、照明器具３は消灯状態から点灯状態に切り替わる。そして、その点灯状態は、人体検出センサ１２で人が居るとの検出結果が得られなくなった時点からも、動作保持時間Ｔ１保持される。また、点滅光源１７は、人が居るとの検出結果が連続して得られる時間が威嚇モード移行時間Ｔ２ａに達すれば、点滅して威嚇をし、音源１８は、人が居るとの検出結果が連続して得られる時間が威嚇モード移行時間Ｔ２ｂに達すれば、鳴動して威嚇をする。そして、それらの威嚇は、人体検出センサ１２で人が居るとの検出結果が得られなくなった時点からも、威嚇モード保持時間Ｔ３保持される。
【００５９】
以上、本実施形態３によれば、玄関ドア付近の軒下に本スイッチ器具１を設けてこれに玄関ドア用の照明器具３を負荷として接続することにより、周囲の明るさおよび人が居るか否かに応じて、照明器具３を好適に自動で点灯することができる。しかも、人体検出センサ１２から人が居るとのパルス状の検出結果が連続して得られる時間が、威嚇モード移行時間Ｔ２ａ，Ｔ２ｂに達した場合に、昼間および夜間に関係なく、威嚇用の点滅光源１７，音源１８がそれぞれ点滅，鳴動するので、玄関ドア用の照明器具３の光源が何（例えば省エネ点灯可能な蛍光灯）であっても、玄関ドアの開錠に威嚇モード移行時間Ｔ２ａ，Ｔ２ｂ以上の時間を要する不審者に対して、威嚇用の点滅光源１７，音源１８により、一層好適に威嚇をすることができる。
【００６０】
さらに、玄関ドア付近の戸内に動作モード設定スイッチ２を設けることにより、利用者が動作モード設定スイッチ２の各スイッチを切替設定することで、利用者の要求に合うように、本スイッチ器具１に接続される照明器具３を動作させることができるとともに、威嚇動作を簡単に入切設定することができる。
【００６１】
（実施形態４）
図１０は本発明による実施形態４のスイッチ器具の構成図、図１１は同スイッチ器具の動作説明図である。
【００６２】
本実施形態４のスイッチ器具も、軒下天井および軒下壁面用のスイッチ器具１があり、これらいずれのスイッチ器具１も、図１０に示すように、２線式のケーブルＬ１を介して、実施形態１〜３と同様の動作モード設定スイッチ２と接続されて使用される構成になっている。ただし、図１１の例では、軒下壁面用のスイッチ器具１が使用されている。
【００６３】
本実施形態４のスイッチ器具１は、実施形態１〜３との相違点として、図１０，図１１に示すように、人体検出センサ１２に代えて、玄関ドア寄りの戸外の狭いエリアＡ１およびこのエリアの全部または一部（図１１の例では全部）を含む広いエリアＡ２を、それぞれ上述の所定検出エリアとする簡易防犯用人体検出センサ１２ａおよび照明制御用人体検出センサ１２ｂを備える構成になっている。
【００６４】
ここで、エリアＡ１を有する検出素子および光学レンズにより構成される簡易防犯用人体検出センサ１２ａと、エリアＡ２を有する検出素子および光学レンズにより構成される照明制御用人体検出センサ１２ｂとは、一つの人体検出センサとして一体化される。エリアＡ１は玄関ドア近傍に限定されるが、エリアＡ２は、玄関ドアへの人の来訪を検出するように幅広いエリアに可変設定される。このように、一体化すれば、簡易防犯用人体検出センサ１２ａおよび照明制御用人体検出センサ１２ｂを個々に設ける場合に比べ、価格、施行面で有利となる。
【００６５】
そして、制御回路部１０は、自動設定信号を受信しているとき、明るさセンサ１１および照明制御用人体検出センサ１２ｂの両検出結果を基に、実施形態１〜３と同様に、スイッチ素子Ｑ１をオンないしオフにして照明器具３への電源４の接続ないし遮断をする制御を実行するように構成される。
【００６６】
また、威嚇入設定信号を受信しているときは、自己の計時機能により、簡易防犯用人体検出センサ１２ａおよび照明制御用人体検出センサ１２ｂの双方から人が居るとのパルス状の検出結果が連続して得られる時間を計時し、この時間が、威嚇モード移行時間調整スイッチ１５により調整された威嚇モード移行時間Ｔ２に達した場合に、少なくとも上記両センサから人が居るとのパルス状の検出結果が継続して得られる間、明るさセンサ１１の検出結果に関係なく、点滅光源１７を点滅して威嚇をするように構成される。本実施形態４でも、両センサから人が居るとのパルス状の検出結果が得られなくなっても、威嚇モード保持時間調整スイッチ１６により調整された威嚇モード保持時間Ｔ３の間、点滅光源１７を点滅する構成になっている。
【００６７】
次に、上記構成の本実施形態４の特徴となる動作について説明すると、図１１に示すように、簡易防犯用人体検出センサ１２ａおよび照明制御用人体検出センサ１２ｂの双方から人が居るとの検出結果（図１１では簡易防犯用途用人体検知、照明制御用人体検知）が連続して得られる時間が、威嚇モード移行時間Ｔ２に達した場合に、昼間および夜間に関係なく、点滅光源１７で威嚇が行われる。これにより、図１１に示すような誤検知による威嚇動作の誤動作を防止することができる。
【００６８】
以上、本実施形態４によれば、玄関ドア付近の軒下に本スイッチ器具１を設けてこれに玄関ドア用の照明器具３を負荷として接続することにより、明るさセンサ１１による周囲の明るさおよび照明制御用人体検出センサ１２ｂによる人が居るか否かに応じて、照明器具３を好適に自動で点灯することができる。
【００６９】
また、玄関ドア寄りの戸外の狭いエリアＡ１およびこのエリアの全部または一部を含む広いエリアＡ２を、それぞれ所定検出エリアとする簡易防犯用人体検出センサ１２ａおよび照明制御用人体検出センサ１２ｂを一体に備えるので、価格、施行面で有利となり、またエリアＡ１のみでも不審者をより好適に検出することができる。
【００７０】
また、制御回路部１０の計時機能により計時された時間が、威嚇モード移行時間Ｔ２に達した場合に、明るさセンサ１１の検出結果に関係なく、点滅光源１７を点滅して威嚇をするので、威嚇モード移行時間Ｔ２を適切に調整することにより、玄関ドアの開錠に威嚇モード移行時間Ｔ２以上の時間を要する不審者に対して、威嚇をすることが可能となり、威嚇モード移行時間Ｔ２を要しない住人に対しては、威嚇が行われるのを防止することが可能となる。
【００７１】
さらに、人体検出センサ１２に代えて、簡易防犯用人体検出センサ１２ａおよび照明制御用人体検出センサ１２ｂを備え、簡易防犯用人体検出センサ１２ａの検出結果を基に、点滅光源１７を点滅して威嚇をするようにしても、威嚇動作の誤動作を防止することができるが、本実施形態４によれば、簡易防犯用人体検出センサ１２ａおよび照明制御用人体検出センサ１２ｂの双方から人が居るとの検出結果が連続して得られる時間が、威嚇モード移行時間Ｔ２に達した場合に、昼間および夜間に関係なく威嚇が行われるので、威嚇動作の誤動作をより好適に防止することができる。
【００７２】
なお、実施形態４では、威嚇用の威嚇手段として、点滅光源１７を備える構成になっているが、これに限らず、実施形態２と同様に音源１８を備える構成でも、あるいは実施形態３と同様に点滅光源１７および音源１８の双方を備える構成でもよい。
【００７３】
（実施形態５）
図１２は本発明による実施形態５のスイッチ器具の構成図、図１３は同スイッチ器具および別体の簡易防犯用途器具の配線図、図１４は同スイッチ器具の動作説明図である。
【００７４】
本実施形態５のスイッチ器具には、図１３（ａ），（ｂ）に示すように、軒下天井用のスイッチ器具１と、軒下壁面用のスイッチ器具１とがあり、これらいずれのスイッチ器具１も、図１２に示すように、２線式のケーブルＬ４を介して、別体の簡易防犯用途器具５と接続されて使用される構成になっている。
【００７５】
簡易防犯用途器具５は、図１３（ａ）に示すように、防犯設定解除スイッチ５０と、点滅光源５１と、音源５２とを備え、防犯設定解除スイッチ５０の防犯設定時に、ケーブルＬ４を介してスイッチ器具１から無電圧信号（短絡信号）を受信すると、点滅光源５１を点滅するとともに音源５２を鳴動して発報をし、この発報は、防犯設定解除スイッチ５０の防犯解除時に禁止される構成になっている。
【００７６】
本実施形態５のスイッチ器具１は、実施形態４との相違点として、動作モード設定スイッチ２に代えて、図１２に示すように、切設定、連続入設定および自動設定用の手動スイッチ２ａを一体に備えているほか、点滅光源１７に代えて、ケーブルＬ４が接続される端子Ｔ１７，Ｔ１８間に接続される無電圧接点スイッチＳＷ２０を一体に備えている。
【００７７】
また、無電圧接点スイッチＳＷ２０を内蔵したことにより、威嚇モード移行時間調整スイッチ１５に代えて、簡易防犯出力（短絡信号出力）を開始するまでの出力待機時間としての移行時間を調整する簡易防犯出力移行時間調整スイッチ１５ｃを内蔵し、威嚇モード保持時間調整スイッチ１６に代えて、簡易防犯出力を保持するための出力保持時間としての保持時間を調整する無電圧接点保持時間調整スイッチ１６ａを内蔵している。
【００７８】
そして、手動スイッチ２ａにより、威嚇入設定および威嚇切設定が廃止されたことに伴い、制御回路部１０は、例えば、手動スイッチ２ａによる自動設定に応じて、上記簡易防犯出力処理として、実施形態４の威嚇入設定と同様の処理を行うように構成される。すなわち、手動スイッチ２ａによる自動設定時は、自己の計時機能により、簡易防犯用人体検出センサ１２ａおよび照明制御用人体検出センサ１２ｂの双方から人が居るとのパルス状の検出結果が連続して得られる時間を計時し、この時間が、簡易防犯出力移行時間調整スイッチ１５ｃにより調整された移行時間Ｔ２に達した場合に、少なくとも上記両センサから人が居るとのパルス状の検出結果が継続して得られる間、明るさセンサ１１の検出結果に関係なく、無電圧接点スイッチＳＷ２０をオンにするように構成される。本実施形態５でも、両センサから人が居るとのパルス状の検出結果が得られなくなっても、無電圧接点保持時間調整スイッチ１６ａにより調整された保持時間Ｔ３の間、無電圧接点スイッチＳＷ２０をオンにする構成になっている。
【００７９】
次に、上記構成の本実施形態５の特徴となる動作について説明すると、図１４に示すように、簡易防犯用人体検出センサ１２ａおよび照明制御用人体検出センサ１２ｂの双方から人が居るとの検出結果（簡易防犯用途用人体検知、照明制御用人体検知）が連続して得られる時間が、移行時間Ｔ２に達した場合に、昼間および夜間に関係なく、無電圧接点スイッチＳＷ２０がオンになり、簡易防犯用途器具５が発報をする。図１３（ａ）の簡易防犯用途器具５では、点滅光源５１が点滅し、音源５２が鳴動する。
【００８０】
以上、本実施形態５によれば、玄関ドア付近の軒下に本スイッチ器具１を設けてこれに玄関ドア用の照明器具３を負荷として接続することにより、明るさセンサ１１による周囲の明るさおよび照明制御用人体検出センサ１２ｂによる人が居るか否かに応じて、照明器具３を好適に自動で点灯することができる。
【００８１】
また、玄関ドア寄りの戸外の狭いエリアＡ１およびこのエリアの全部または一部を含む広いエリアＡ２を、それぞれ所定検出エリアとする簡易防犯用人体検出センサ１２ａおよび照明制御用人体検出センサ１２ｂを一体に備えるので、価格、施行面で有利となり、エリアＡ１により不審者をより好適に検出することができる。
【００８２】
また、制御回路部１０の計時機能により計時された時間が、移行時間Ｔ２に達した場合に、明るさセンサ１１の検出結果に関係なく、無電圧接点スイッチＳＷ２０がオンになるので、移行時間Ｔ２を適切に調整することにより、玄関ドアの開錠に移行時間Ｔ２以上の時間を要する場合には警報を出すことが可能となり、移行時間Ｔ２を要しない場合には警報が出されるのを防止することが可能となる。
【００８３】
さらに、人体検出センサ１２に代えて、簡易防犯用人体検出センサ１２ａおよび照明制御用人体検出センサ１２ｂを備え、簡易防犯用人体検出センサ１２ａの検出結果を基に、無電圧接点スイッチＳＷ２０をオン，オフするようにしても、警報発報動作の誤動作を防止することができるが、本実施形態５によれば、簡易防犯用人体検出センサ１２ａおよび照明制御用人体検出センサ１２ｂの双方から人が居るとの検出結果が連続して得られる時間が、移行時間Ｔ２に達した場合に、昼間および夜間に関係なく警報が出されるので、警報発報動作の誤動作をより好適に防止することができる。
【００８４】
なお、実施形態５の簡易防犯用途器具５の変形例として、例えば、図１３（ｃ）に示すチャイム、図１３（ｄ）に示す表示灯、図１３（ｅ）に示すＨＡ機器、図１３（ｆ）に示すカメラなどでもよい。
【００８５】
また、実施形態５では、無電圧接点スイッチＳＷ２０が常開接点を有する構成になっているが、論理が逆の場合には常閉接点にすればよい。また、常開・常閉（ｃ）接点でもよい。さらに、簡易防犯用途器具が有電圧に応じて動作する場合、無電圧接点スイッチに代えて有電圧を出力する有電圧出力部を設ければよい。
【００８６】
さらに、実施形態４，５では、図１１，図１４のエリアＡ１，Ａ２を持つ軒下壁面用のスイッチ器具１が使用される構成になっているが、図１５に示すエリアＡ１，Ａ２を持つ軒下天井用のスイッチ器具１でも、エリアＡ１を戸外の玄関ドア寄りに設定することにより、実施形態４，５と同様の効果を奏することができる。
【図面の簡単な説明】
【００８７】
【図１】本発明による実施形態１のスイッチ器具および別体の動作モード設定スイッチの構成図である。
【図２】同スイッチ器具および動作モード設定スイッチの配線図である。
【図３】同スイッチ器具の検出エリアの説明図である。
【図４】同スイッチ器具の動作説明図である。
【図５】本発明による実施形態２のスイッチ器具の構成図である。
【図６】同スイッチ器具の種類の説明図である。
【図７】同スイッチ器具の動作説明図である。
【図８】本発明による実施形態３のスイッチ器具の構成図である。
【図９】同スイッチ器具の動作説明図である。
【図１０】本発明による実施形態４のスイッチ器具の構成図である。
【図１１】同スイッチ器具の動作説明図である。
【図１２】本発明による実施形態５のスイッチ器具の構成図である。
【図１３】同スイッチ器具および別体の簡易防犯用途器具の配線図である。
【図１４】同スイッチ器具の動作説明図である。
【図１５】実施形態４，５で使用可能な別のスイッチ器具の検出エリアの説明図である。
【符号の説明】
【００８８】
１  スイッチ器具
Ｑ１  スイッチ素子
１０  制御回路部
１１  明るさセンサ
１２  人体検出センサ
１３  明るさセンサ調整スイッチ
１４  動作保持時間調整スイッチ
１５  威嚇モード移行時間調整スイッチ
１６  威嚇モード保持時間調整スイッチ
１７  点滅光源
１８  音源
１９  電源回路部
２  動作モード設定スイッチ
２０  電源設定スイッチ
２１  威嚇設定スイッチ
３  照明器具
４  電源
５  簡易防犯用途器具
【図１】
2005242487.tif 000003
【図２】
2005242487.tif 000004
【図３】
2005242487.tif 000005
【図４】
2005242487.tif 000006
【図５】
2005242487.tif 000007
【図６】
2005242487.tif 000008
【図７】
2005242487.tif 000009
【図８】
2005242487.tif 000010
【図９】
2005242487.tif 000011
【図１０】
2005242487.tif 000012
【図１１】
2005242487.tif 000013
【図１２】
2005242487.tif 000014
【図１３】
2005242487.tif 000015
【図１４】
2005242487.tif 000016
【図１５】
2005242487.tif 000017